(57)【要約】【課題】デマルチプレクサ方式を採用した電気光学装置において、高品質な画像を表示する。【解決手段】電気光学装置は、Ｎ系統のシリアル−パラレル変換された画像信号（ＶＩＤ１〜ＶＩＤ２４８）が夫々供給されると共に、画像信号に先行してプリチャージ信号（ＰＣＳ）が供給されるＮ本の画像信号線（３００）と、複数のデータ線（６ａ）に対応する複数のスイッチ（７１）を含み、データ線群毎に１本のデータ線を、選択信号（Ｓｅｌ１〜Ｓｅｌ８）のパルス幅（Ｗｓ）によって規定される単位期間毎に選択して、画像信号を選択したデータ線に供給すると共に、プリチャージ期間規定信号（ＮＲＧ）のパルス幅（Ｗｐ）によって規定されるプリチャージ期間に、プリチャージ信号を複数のデータ線に供給する選択回路（７）とを備え、選択信号のパルス幅は、プリチャージ期間規定信号のパルス幅よりも広い。【選択図】図５
2009198860.tif 000002
【特許請求の範囲】
【請求項１】
基板上に、
複数の画素電極と、
該複数の画素電極が配列された画素領域で互いに交差する複数の走査線及び複数のデータ線と、
前記複数のデータ線のうちＭ（但し、Ｍは２以上の自然数）本のデータ線を一群として構成されるＮ（但し、Ｎは２以上の自然数）個のデータ線群に夫々供給するためのＮ系統のシリアル−パラレル変換された画像信号が夫々供給されると共に、該画像信号に先行して前記複数のデータ線をプリチャージするためのプリチャージ信号が一括して供給されるＮ本の画像信号線と、
前記複数のデータ線に夫々対応する複数のスイッチを含み、前記データ線群毎に１本のデータ線を、選択信号のパルス幅によって規定される単位期間毎に選択して、前記画像信号線を介して供給される前記画像信号を前記選択したデータ線に供給すると共に、プリチャージ期間規定信号のパルス幅によって規定される前記画像信号の供給に先行するプリチャージ期間に、前記画像信号線を介して一括に供給される前記プリチャージ信号を前記複数のデータ線に供給する選択回路と
を備え、
前記選択信号のパルス幅は、前記プリチャージ期間規定信号のパルス幅よりも広い
ことを特徴とする電気光学装置。
【請求項２】
前記画像信号の１水平期間をＨ［ナノ秒］とし、前記複数のデータ線の本数をＤ［本］とし、前記プリチャージ期間をＴ［ナノ秒］とするとき、以下の関係式
６００≦Ｔ＋（Ｈ−Ｔ）×Ｎ／Ｄ
を満たすことを特徴とする請求項１に記載の電気光学装置。
【請求項３】
基板上に、複数の画素電極と、該複数の画素電極が配列された画素領域で互いに交差する複数の走査線及び複数のデータ線と、前記複数のデータ線のうちＭ（但し、Ｎは２以上の自然数）本のデータ線を一群として構成されるＮ（但し、Ｎは２以上の自然数）個のデータ線群に夫々供給するためのＮ系統のシリアル−パラレル変換された画像信号が夫々供給されると共に、該画像信号に先行して前記複数のデータ線をプリチャージするためのプリチャージ信号が一括して供給されるＮ本の画像信号線と、前記複数のデータ線に夫々対応する複数のスイッチを含み、前記画像信号線を介して供給される前記画像信号を前記複数のデータ線に供給すると共に、前記画像信号の供給に先行するプリチャージ期間に、前記画像信号線を介して一括に供給される前記プリチャージ信号を前記複数のデータ線に供給する選択回路とを備えた電気光学装置を駆動する電気光学装置の駆動方法であって、
前記選択回路によって前記プリチャージ期間に前記プリチャージ信号を前記複数のデータ線に供給するプリチャージ工程と、
該プリチャージ工程の後に、前記選択回路によって、前記データ線群毎に１本のデータ線を前記プリチャージ期間よりも長い単位期間毎に選択して、前記画像信号線に供給される画像信号を前記選択したデータ線に供給する工程と
を含むことを特徴とする電気光学装置の駆動方法。
【請求項４】
請求項１又は２に記載の電気光学装置を具備することを特徴とする電子機器。
【発明の詳細な説明】
【技術分野】
【０００１】
本発明は、例えば液晶装置等の電気光学装置及びその駆動方法、並びに例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。更に、この種の電気光学装置では、大なり小なり配線容量を有するデータ線を介して画素部に画像信号を書き込む際におけるサンプリング回路の書き込み能力を補うために、例えば画像信号の帰線期間中など、画像信号に先行して所定電位のプリチャージ信号を、データ線に書き込むプリチャージが行われるのが一般的である（例えば特許文献１参照）。
【０００３】
一方、この種の電気光学装置では、Ｎ本のデータ線に供給すべき画像信号を時分割で入力すると共に、時分割でＮ本のデータ線を複数本ずつ選択して供給する駆動方式（即ち、デマルチプレクサ方式或いはハイブリッド方式）が採用されることがある。このようなデマルチプレクサ方式が採用された電気光学装置では、画像信号線から供給される画像信号が、複数のスイッチを含むデマルチプレクサ（或いは選択回路）に入力され、デマルチプレクサによって選択されたデータ線に出力される。
【０００４】
【特許文献１】特開昭６３−４１８２９号公報
【発明の開示】
【発明が解決しようとする課題】
【０００５】
この種の電気光学装置では、表示画像の更なる高品質化が望まれる。しかしながら、上述したプリチャージを行うプリチャージ期間と各データ線に画像信号を書き込む期間との長さの関係によっては、表示画像の品質を高めることが困難になってしまうおそれがあるという技術的問題点がある。
【０００６】
本発明は、例えば上述した問題点に鑑みなされたものであり、デマルチプレクサ方式を採用した電気光学装置において、高品質な画像を表示可能な電気光学装置及びその駆動方法、並びに該電気光学装置を備えた電子機器を提供することを課題とする。
【課題を解決するための手段】
【０００７】
本発明の電気光学装置は上記課題を解決するために、基板上に、複数の画素電極と、該複数の画素電極が配列された画素領域で互いに交差する複数の走査線及び複数のデータ線と、前記複数のデータ線のうちＭ（但し、Ｍは２以上の自然数）本のデータ線を一群として構成されるＮ（但し、Ｎは２以上の自然数）個のデータ線群に夫々供給するためのＮ系統のシリアル−パラレル変換された画像信号が夫々供給されると共に、該画像信号に先行して前記複数のデータ線をプリチャージするためのプリチャージ信号が一括して供給されるＮ本の画像信号線と、前記複数のデータ線に夫々対応する複数のスイッチを含み、前記データ線群毎に１本のデータ線を、選択信号のパルス幅によって規定される単位期間毎に選択して、前記画像信号線を介して供給される前記画像信号を前記選択したデータ線に供給すると共に、プリチャージ期間規定信号のパルス幅によって規定される前記画像信号の供給に先行するプリチャージ期間に、前記画像信号線を介して一括に供給される前記プリチャージ信号を前記複数のデータ線に供給する選択回路とを備え、前記選択信号のパルス幅は、前記プリチャージ期間規定信号のパルス幅よりも広い。
【０００８】
本発明の電気光学装置によれば、その動作時には、外部に設けられた例えば画像信号供給回路から例えば画像信号端子を介して画像信号線に画像信号が供給される。画像信号線に供給された画像信号は選択回路を構成する複数のスイッチに対して、データ線群に含まれるＭ本のデータ線に対応する数、即ちＭ個のスイッチ毎に供給される。画像信号は、Ｎ系統にシリアル−パラレル変換（或いはシリアル−パラレル展開又は相展開）されており、系統別に互いに異なる画像信号線を介して複数のスイッチに供給される。即ち、例えば、第１系統の画像信号は、第１の画像信号線を介して第１のデータ線群に対応するＭ個のスイッチに供給され、第２系統の画像信号は、第２の画像信号線を介して第２のデータ線群に対応するＭ個のスイッチに供給され、・・・、第Ｎ系統の画像信号は、第Ｎの画像信号線を介して第Ｎのデータ線群に対応するＭ個のスイッチに供給される。複数のスイッチは例えばＭ本の選択信号供給線によって夫々供給されるＭ系列の選択信号に基づいて夫々駆動され、各系列毎にデータ線を選択して画像信号を供給する。これにより、各データ線群について、Ｍ個のスイッチからＭ系列の選択信号に基づいてＭ本のデータ線の各々に対して画像信号が供給され、対応する画素に入力される（即ち、書き込まれる）。これと共に、例えば走査線駆動回路から走査線を介して走査信号が各画素に供給される。画素毎に設けられた例えば画素スイッチング用トランジスタは、走査信号に応じて画像信号を画素電極へ選択的に供給する。その結果、電気光学装置においてアクティブマトリクス駆動が行われる。
【０００９】
本発明では、画像信号の供給に先行するプリチャージ期間に、複数のデータ線をプリチャージするための例えば中間階調に対応する所定電位レベルを有するプリチャージ信号が選択回路によって複数のデータ線に供給される。例えば、プリチャージ期間には、選択回路を構成する複数のスイッチに、画像信号に代えてプリチャージ信号が画像信号線を介して供給されると共に選択信号に代えてプリチャージ期間規定信号が供給されることで、選択回路から複数のデータ線にプリチャージ信号が供給される。
【００１０】
本発明では特に、選択信号のパルス幅は、プリチャージ期間規定信号のパルス幅よりも広い。即ち、選択信号のパルス幅によって規定される単位期間は、プリチャージ期間規定信号のパルス幅によって規定されるプリチャージ期間よりも長い。言い換えれば、データ線に画像信号を書き込む期間である単位期間は、データ線にプリチャージ信号を書き込む期間であるプリチャージ期間よりも長い。よって、表示画像のコントラストの向上やゴーストの発生の低減を図ることが可能であり、表示画像の品質を向上させることができる。更に、単位期間が比較的長いので、例えばトランジスタから夫々なる複数のスイッチを例えば単位期間がプリチャージ期間よりも短い場合と比較して小さなサイズで形成することが可能である。言い換えれば、複数のスイッチを、比較的小さなサイズのトランジスタから形成しても、単位期間が比較的長いので、単位期間内にデータ線に画像信号を十分に書き込むことが可能である。
【００１１】
以上説明したように、本発明の電気光学装置によれば、高品質な画像を表示することができる。
【００１２】
本発明の電気光学装置の一態様では、前記画像信号の１水平期間をＨ［ナノ秒］とし、前記複数のデータ線の本数をＤ［本］とし、前記プリチャージ期間をＴ［ナノ秒］とするとき、以下の関係式  ６００≦Ｔ＋（Ｈ−Ｔ）×Ｎ／Ｄ  を満たす。
【００１３】
この態様によれば、データ線に画像信号を書き込む単位期間とデータ線にプリチャージ信号を書き込むプリチャージ期間とを合わせた期間を６００ナノ秒以上とすることができる。よって、各データ線に画像信号を、当該電気光学装置に要求される性能や仕様を満たす程度に十分に書き込むことができる。従って、より高品質な画像を表示することが可能となる。
【００１４】
本発明の電気光学装置の駆動方法は上記課題を解決するために、基板上に、複数の画素電極と、該複数の画素電極が配列された画素領域で互いに交差する複数の走査線及び複数のデータ線と、前記複数のデータ線のうちＭ（但し、Ｎは２以上の自然数）本のデータ線を一群として構成されるＮ（但し、Ｎは２以上の自然数）個のデータ線群に夫々供給するためのＮ系統のシリアル−パラレル変換された画像信号が夫々供給されると共に、該画像信号に先行して前記複数のデータ線をプリチャージするためのプリチャージ信号が一括して供給されるＮ本の画像信号線と、前記複数のデータ線に夫々対応する複数のスイッチを含み、前記画像信号線を介して供給される前記画像信号を前記複数のデータ線に供給すると共に、前記画像信号の供給に先行するプリチャージ期間に、前記画像信号線を介して一括に供給される前記プリチャージ信号を前記複数のデータ線に供給する選択回路とを備えた電気光学装置を駆動する電気光学装置の駆動方法であって、前記選択回路によって前記プリチャージ期間に前記プリチャージ信号を前記複数のデータ線に供給するプリチャージ工程と、該プリチャージ工程の後に、前記選択回路によって、前記データ線群毎に１本のデータ線を前記プリチャージ期間よりも長い単位期間毎に選択して、前記画像信号線に供給される画像信号を前記選択したデータ線に供給する工程とを含む。
【００１５】
本発明の電気光学装置の駆動方法によれば、上述した本発明の電気光学装置と同様に、データ線に画像信号を書き込む単位期間が、データ線にプリチャージ信号を書き込むプリチャージ期間よりも長いので、高品質な画像を表示することが可能である。
【００１６】
尚、上述した本発明の電気光学装置に係る各種態様と同様の各種態様を、本発明の電気光学装置の駆動方法にも適宜適用可能である。
【００１７】
本発明の電子機器は上記課題を解決するために、上述した本発明の電気光学装置（但し、その各種態様も含む）を具備する。
【００１８】
本発明の電子機器によれば、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた表示装置を実現することも可能である。
【００１９】
本発明の作用及び他の利得は次に説明する実施するための最良の形態から明らかにされる。
【発明を実施するための最良の形態】
【００２０】
以下では、本発明の実施形態について図を参照しつつ説明する。以下の実施形態では、本発明の電気光学装置の一例であるデマルチプレクサ方式を採用した液晶装置を例にとる。
＜第１実施形態＞
第１実施形態に係る液晶装置について、図１から図５を参照して説明する。
【００２１】
先ず、本実施形態に係る液晶装置の全体構成について、図１及び図２を参照して説明する。ここに図１は、本実施形態に係る液晶装置の全体構成を示す平面図であり、図２は、図１のＨ−Ｈ´線での断面図である。
【００２２】
図１及び図２において、本実施形態に係る液晶装置１００では、素子基板１０と対向基板２０とが対向配置されている。素子基板１０と対向基板２０との間に液晶層５０が封入されており、素子基板１０と対向基板２０とは、本発明に係る「画素領域」の一例としての画像表示領域１０ａの周囲に位置するシール領域５２ａに設けられたシール材５２により相互に接着されている。シール材５２は、両基板を貼り合わせるための、紫外線硬化樹脂からなり、製造プロセスにおいて素子基板１０上に塗布された後、紫外線照射により硬化させられたものである。また、シール材５２中には、素子基板１０と対向基板２０との間隔（基板間ギャップ）を所定値とするためのグラスファイバ或いはガラスビーズ等のギャップ材が散布されている。
【００２３】
図１において、シール材５２が配置されたシール領域の内側に並行して、画像表示領域１０ａの額縁領域５３ａを規定する遮光性の額縁遮光膜５３が、対向基板２０側に設けられている。周辺領域のうち、シール材５２が配置されたシール領域５２ａの外側に位置する領域には、画像信号が供給される画像信号端子を含む外部回路接続端子１０２が素子基板１０の一辺に沿って設けられている。この一辺に沿ったシール領域５２ａよりも内側に、本発明に係る「選択回路」の一例としてのデマルチプレクサ７が額縁遮光膜５３に覆われるようにして設けられている。また、走査線駆動回路１０４は、この一辺に隣接する２辺に沿ったシール領域５２ａの内側に、額縁遮光膜５３に覆われるようにして設けられている。また、素子基板１０上には、対向基板２０の４つのコーナー部に対向する領域に、両基板間を上下導通材１０７で接続するための上下導通端子１０６が配置されている。これらにより、素子基板１０と対向基板２０との間で電気的な導通をとることができる。
【００２４】
素子基板１０上には、外部回路接続端子１０２と、デマルチプレクサ７、走査線駆動回路１０４、上下導通端子１０６等とを電気的に接続するための引回配線９０が形成されている。
【００２５】
図２において、素子基板１０上には、駆動素子である画素スイッチング用ＴＦＴや走査線、データ線等の配線が作り込まれた積層構造が形成される。画像表示領域１０ａには、画素スイッチング用ＴＦＴや走査線、データ線等の配線の上層に画素電極９ａが設けられている。画素電極９ａ上には、配向膜が形成されている。他方、対向基板２０における素子基板１０との対向面上に、遮光膜２３が形成されている。そして、遮光膜２３上に、ＩＴＯ等の透明材料からなる対向電極２１が複数の画素電極９ａと対向して形成されている。対向電極２１上には配向膜が形成されている。また、液晶層５０は、例えば一種又は数種類のネマティック液晶を混合した液晶からなり、これら一対の配向膜間で、所定の配向状態をとる。
【００２６】
尚、ここでは図示しないが、素子基板１０上には、デマルチプレクサ７、走査線駆動回路１０４の他に、製造途中や出荷時の当該液晶装置の品質、欠陥等を検査するための検査回路、検査用パターン等が形成されていてもよい。
【００２７】
次に、本実施形態に係る液晶装置の電気的な構成について、図３及び図４を参照して説明する。ここに図３は、本実施形態に係る液晶装置の電気的な構成を示すブロック図である。図４は、本実施形態に係る液晶装置の画素部の等価回路図である。
【００２８】
図３において、液晶装置１００は、素子基板１０上に、デマルチプレクサ７及び走査線駆動回路１０４を備えている。素子基板１０上の外部回路接続端子１０２のうち画像信号端子１０２ｖに外部回路としての画像信号供給回路４００が電気的に接続されている。
【００２９】
素子基板１０上の画像表示領域１０ａには、１０８８本の走査線１１ａが行方向（即ち、Ｘ方向）に延在するように設けられ、また、８本毎にグループ化された１９８４（＝２４８×８）本のアルミニウム等の金属膜からなるデータ線６ａが、列方向（即ち、Ｙ方向）に延在するように、且つ、各走査線１１ａと互いに電気的な絶縁を保つように、設けられている。尚、走査線１１ａ及びデータ線６ａの本数はそれぞれ１０８８本及び１９８４本に限定されるものではない。１グループを構成するデータ線数は、本実施形態では「８」としたが、「２」以上であればよい。
【００３０】
画素部６００は、１０８８本の走査線１１ａと１９８４本のデータ線６ａとの交差に対応して、それぞれ配列されている。従って、本実施形態では、画素部６００は、縦１０８８行×横１９８４列で、所定の画素ピッチでマトリクス状に配列することになる。
【００３１】
図４に示すように、画素部６００は、画素スイッチング用ＴＦＴ３０、液晶素子７２及び蓄積容量７０を備えている。
【００３２】
画素スイッチング用ＴＦＴ３０は、ソースがデータ線６ａに電気的に接続され、ゲートが走査線１１ａに電気的に接続され、ドレインが後述する液晶素子７２の画素電極９ａに電気的に接続されている。画素スイッチング用ＴＦＴ３０は、走査線駆動回路１０４から供給される走査信号によってオンオフが切り換えられる。
【００３３】
液晶素子７２は、画素電極９ａ、対向電極２１並びに画素電極９ａ及び対向電極２１間に狭持された液晶から構成されている。液晶素子７２において、データ線６ａ及び画素電極９ａを介して液晶に書き込まれた所定レベルのデータ信号は、対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置１００からは画像信号に応じたコントラストをもつ光が出射する。
【００３４】
蓄積容量７０は、保持された画像信号がリークするのを防ぐために、画素電極９ａと対向電極との間に形成される液晶容量と並列に付加されている。
【００３５】
以上のような画素部６００が、画像表示領域１０ａにマトリクス状に配列されているので、アクティブマトリクス駆動が可能となっている。
【００３６】
再び図３において、本実施形態では、１グループを構成する８列のデータ線６ａを区別するために、右から順にそれぞれａ、ｂ、ｃ、ｄ、ｅ、ｆ、ｇ、ｈ系列と呼ぶ場合がある。詳細には、ａ系列とは１、９、１７、・・・、１９７７列目のデータ線６ａであり、ｂ系列とは２、１０、１８、・・・、１９７８列目のデータ線６ａであり、ｃ系列とは３、１１、１９、・・・、１９７９列目のデータ線６ａであり、ｄ系列とは４、１２、２０、・・・、１９８０列目のデータ線６ａであり、ｅ系列とは５、１３、２１、・・・、１９８１列目のデータ線６ａであり、ｆ系列とは６、１４、２２、・・・、１９８２列目のデータ線６ａであり、ｇ系列とは７、１５、２３、・・・、１９８３列目のデータ線６ａであり、ｈ系列とは８、１６、２４、・・・、１９８４列目のデータ線６ａである。
【００３７】
走査線駆動回路１０４は、シフトレジスタを有しており、１、２、３、・・・、１０８８行目の走査線１１ａに、走査信号Ｇ１、Ｇ２、Ｇ３、・・・、Ｇ１０８８を供給する。詳細には、走査線駆動回路１０４は、１フレームの期間にわたって１、２、３、・・・、１０８８行目の走査線１１ａを順番に選択するとともに、選択した走査線への走査信号を選択電圧に相当するＨレベルとし、それ以外の走査線への走査信号を非選択電圧に相当するＬレベルとする。
【００３８】
画像信号供給回路４００は、素子基板１０とは別体構成であり、表示動作の際には、画像信号端子１０２ｖを介して素子基板１０と電気的に接続される。画像信号供給回路４００は、走査線駆動回路１０４によって選択された走査線１１ａと、各グループに属する８列のデータ線６ａのうち、デマルチプレクサ７によって選ばれるデータ線６ａとに対応する画素電極９ａに対し、当該画素電極９ａが含まれる画素の階調に応じた電圧の画像信号を出力する。画像信号供給回路４００から画像信号端子１０２ｖに供給された画像信号は、引回配線９０（図１参照）に含まれる画像信号線３００を介してデマルチプレクサ７へ供給される。本実施形態では、上述したように、データ線６ａの列数は「１９８４」であり、これらが８列毎にグループ化されているので、画像信号供給回路４００によって２４８系統にシリアル−パラレル変換された画像信号ＶＩＤ１、ＶＩＤ２、・・・、ＶＩＤ２４８が、２４８個の画像信号端子１０２ｖ及び２４８本の画像信号線３００を介して、データ線６ａのグループの各々に供給される。
【００３９】
更に、本実施形態では、画像信号供給回路４００は、画像信号ＶＩＤ１〜ＶＩＤ２４８を供給する画像信号供給期間に先立つ期間に、画像信号ＶＩＤ１〜ＶＩＤ２４８に代えて、データ線６ａをプリチャージするためのプリチャージ信号ＰＣＳを、２４８本の画像信号線３００に一括して出力する。
【００４０】
デマルチプレクサ７は、データ線６ａ毎に設けられた複数のトランジスタ７１を含んで構成されている。尚、複数のトランジスタ７１は、本発明に係る「複数のスイッチ」の一例である。トランジスタ７１はｎチャネル型であり、各ドレインはデータ線６ａの一端に電気的に接続されている。同一グループに属するデータ線６ａに対応する８個のトランジスタ７１のソースは、当該グループに対応する画像信号線３００と電気的に共通接続されている。
【００４１】
即ち、ｍ番目（但し、ｍは１以上２４８以下の整数）のグループは、ａ系列の（８ｍ−７）列目、ｂ系列の（８ｍ−６）列目、ｃ系列の（８ｍ−５）列目、ｄ系列の（８ｍ−４）列目、ｅ系列の（８ｍ−３）列目、ｆ系列の（８ｍ−２）列目、ｇ系列の（８ｍ−１）列目及びｈ系列の（８ｍ）列目のデータ線６ａから構成されるので、これら８列のデータ線６ａに対応するトランジスタ７１のソースは電気的に共通接続されて、画像信号ＶＩＤ（ｍ）が供給される。トランジスタ７１のゲートには、８本の制御信号線ＳＬ（即ち、制御信号線ＳＬ１〜ＳＬ８）を介して制御信号Ｓｅｌ１〜Ｓｅｌ８が供給される。詳細には、（８ｍ−７）列目のデータ線６ａに対応するトランジスタ７１のゲートには、制御信号線ＳＬ１を介して制御信号Ｓｅｌ１が供給され、同様に（８ｍ−６）列目、（８ｍ−５）列目、（８ｍ−４）列目、（８ｍ−３）列目、（８ｍ−２）列目、（８ｍ−１）列目及び（８ｍ）列目のデータ線６ａに対応するトランジスタ７１のゲートには、引回配線９０（図１参照）に含まれる制御信号線ＳＬ２、・・・、ＳＬ８の各々を介して制御信号Ｓｅｌ２、・・・、Ｓｅｌ８が供給される。制御信号Ｓｅｌ１〜Ｓｅｌ８は、図示しない外部回路としてのタイミング制御回路から外部回路接続端子１０２のうち制御信号端子１０２ｓを介して制御信号線ＳＬ１〜ＳＬ８に供給される。尚、制御信号Ｓｅｌ１〜Ｓｅｌ８は、本発明に係る「選択信号」の一例である。
【００４２】
更に、本実施形態では、制御信号線ＳＬ１〜ＳＬ８に対し、制御信号Ｓｅｌ１〜Ｓｅｌ８とは別に本発明に係る「プリチャージ期間規定信号」の一例としてのプリチャージタイミング信号ＮＲＧが外部回路としてのタイミング制御回路から入力可能な構成となっている。プリチャージタイミング信号ＮＲＧは、画像信号ＶＩＤ１〜ＶＩＤ２４８の書き込み期間（即ち、画像信号供給期間）に先立つプリチャージ期間を規定し、制御信号線ＳＬ１〜ＳＬ８に一斉に供給される。従って、プリチャージタイミング信号ＮＲＧによって全てのトランジスタ７１は同時に導通し、全データ線６ａが、一斉に画素信号線３００に電気的に接続された導通状態とされる。ここで特に、全データ線６ａは、プリチャージ期間において導通状態とされた画像信号線３００を介して、画像信号ＶＩＤ１〜ＶＩＤ２４８の電位とは別の所定電位（例えば中間階調に対応する電位）を有するプリチャージ信号ＰＣＳが供給される。
【００４３】
尚、プリチャージタイミング信号ＮＲＧやクロック信号等の各種タイミング信号は、図示しない外部回路としてのタイミング制御回路にて生成され、液晶装置１００内に供給される。また、各駆動回路の駆動に必要な電源電圧等もまた外部から液晶装置１００内に供給される。
【００４４】
次に、上述のように構成された液晶装置の動作について、図３及び図５を参照して説明する。ここに図５は、１水平期間における制御信号線及び画像信号線の電位の変動を示すタイミングチャートである。
【００４５】
図３において、走査線駆動回路１０４は、ある１フレーム（第ｎフレーム）の期間にわたって走査信号Ｇ１、Ｇ２、・・・、Ｇ１０８８を１水平期間（例えば４０００ナノ秒）毎に順次排他的にＨレベル（即ち、選択電圧）とする。
【００４６】
図５に示すように、１水平期間における画像信号供給期間に先立つ期間では、制御信号線ＳＬ１〜ＳＬ８に対して同時にプリチャージタイミング信号ＮＲＧが入力されると共に、画像信号線３００の全てにプリチャージ信号ＰＣＳが入力される。これにより、全てのトランジスタ７１は、プリチャージタイミング信号ＮＲＧのパルス幅Ｗｐによって規定されるプリチャージ期間だけ、導通状態（即ちオン状態）とされ、全てのデータ線６ａにプリチャージ信号ＰＣＳが供給される。即ち、１水平期間のうちプリチャージタイミング信号ＮＲＧによって規定されるプリチャージ期間においてプリチャージが行われる。プリチャージとは、書き込み不足を防止するために、データ線６ａを充電もしくは放電させ、予めデータ線６ａの電位を画像信号電位に近づけるような制御をいう。
【００４７】
図５に示すように、１水平期間における画像信号供給期間では、制御信号線ＳＬ１〜ＳＬ８に対して制御信号Ｓｅｌ１〜Ｓｅｌ８が夫々入力されると共に、２４８本の画像信号線３００には画像信号ＶＩＤ１〜ＶＩＤ２４８が夫々入力される。ここで、画像信号供給期間では、制御信号線ＳＬ１〜ＳＬ８の電位は、制御信号Ｓｅｌ１〜Ｓｅｌ８が供給されることで、この順番で排他的にＨレベルとなり、この供給に合わせて画像信号供給回路４００は、画像信号線３００に画像信号ＶＩＤ１〜ＶＩＤ２４８を供給する。トランジスタ７１は、制御信号Ｓｅｌ１〜Ｓｅｌ８のパルス幅Ｗｓによって規定される単位期間だけ、導通状態とされ、データ線６ａに系列毎に画像信号ＶＩＤ１〜ＶＩＤ２４８が供給される。
【００４８】
詳細には、画像信号供給回路４００は、ｉ行目の走査信号ＧｉがＨレベルとなる期間において、制御信号Ｓｅｌ１が供給されることで制御信号線ＳＬ１の電位がＨレベルとなったとき、ｉ行目の走査線１１ａとａ系列のデータ線６ａとの交差に対応する画素の階調に応じた電圧だけ対向電極電位ＬＣＣＯＭに対して高位または低位の画像信号ＶＩＤ１、ＶＩＤ２、ＶＩＤ３、・・・、ＶＩＤ２４８を、１、２、３、・・・、２４８番目のグループに対応させて一斉に出力する。この際、８本の制御信号線ＳＬのうち制御信号線ＳＬ１だけがＨレベルであるので、ａ系列のデータ線６ａが選択される（即ち、ａ系列のデータ線６ａに対応するトランジスタ７１だけがオンする）結果、画像信号ＶＩＤ１、ＶＩＤ２、ＶＩＤ３、・・・、ＶＩＤ２４８は、それぞれａ系列（１、９、１７、・・・、１９７７列目）のデータ線６ａに供給される。一方、走査信号ＧｉがＨレベルであると、ｉ行目に位置する画素のすべてにおいて、画素スイッチング用ＴＦＴ３０がオン（導通）状態となるので、ａ系列のデータ線６ａに供給された画像信号ＶＩＤ１、ＶＩＤ２、ＶＩＤ３、・・・、ＶＩＤ２４８は、それぞれｉ行１列、ｉ行９列、ｉ行１７列、・・・、ｉ行１９７７列の画素電極９ａに印加されることになる。
【００４９】
次に、画像信号供給回路４００は、制御信号Ｓｅｌ２が供給されることで制御信号線ＳＬ２の電位がＨレベルとなったとき、今度はｉ行目の走査線１１ａとｂ系列のデータ線６ａとの交差に対応する画素の階調に応じた電圧の画像信号ＶＩＤ１、ＶＩＤ２、ＶＩＤ３、・・・、ＶＩＤ２４８を、１、２、３、・・・、２４８番目のグループに対応させて一斉に出力する。この際、制御信号線ＳＬ２だけがＨレベルであるため、ｂ系列のデータ線６ａが選択される結果、画像信号ＶＩＤ１、ＶＩＤ２、ＶＩＤ３、・・・、ＶＩＤ２４８は、それぞれｂ系列（２、１０、１８、・・・、１９７８列目）のデータ線６ａに供給されて、それぞれｉ行２列、ｉ行１０列、ｉ行１８列、・・・、ｉ行１９７８列の画素電極９ａに印加されることになる。
【００５０】
同様に、画像信号供給回路４００は、ｉ行目の走査信号ＧｉがＨレベルとなる期間において、制御信号Ｓｅｌ３が供給されることで制御信号線ＳＬ３の電位がＨレベルとなったときには、ｉ行目の走査線１１ａとｃ系列のデータ線６ａとの交差に対応する画素、制御信号Ｓｅｌ４が供給されることで制御信号線ＳＬ４の電位がＨレベルとなったときには、ｉ行目の走査線１１ａとｄ系列のデータ線６ａとの交差に対応する画素、制御信号Ｓｅｌ５が供給されることで制御信号線ＳＬ５の電位がＨレベルとなったときには、ｉ行目の走査線１１ａとｅ系列のデータ線６ａとの交差に対応する画素、制御信号Ｓｅｌ６が供給されることで制御信号線ＳＬ６の電位がＨレベルとなったときには、ｉ行目の走査線１１ａとｆ系列のデータ線６ａとの交差に対応する画素、制御信号Ｓｅｌ７が供給されることで制御信号線ＳＬ７の電位がＨレベルとなったときには、ｉ行目の走査線１１ａとｇ系列のデータ線６ａとの交差に対応する画素、制御信号Ｓｅｌ８が供給されることで制御信号線ＳＬ８の電位がＨレベルとなったときには、ｉ行目の走査線１１ａとｈ系列のデータ線６ａとの交差に対応する画素、の階調に応じた電圧の画像信号ＶＩＤ１、ＶＩＤ２、ＶＩＤ３、・・・、ＶＩＤ２４８を、それぞれ１、２、３、・・・、２４８番目のグループに対応させて一斉に出力する。これにより、ｉ行目の各画素の階調に応じた画像信号ＶＩＤ１、ＶＩＤ２、ＶＩＤ３、・・・、ＶＩＤ２４８が、ｃ系列（３、１１、１９、・・・、１９７９列目）のデータ線６ａに供給されて、それぞれｉ行３列、ｉ行１１列、ｉ行１９列、・・・、ｉ行１９７９列の画素電極９ａに印加され、引き続き、ｄ系列（４、１２、２０、・・・、１９８０列目）のデータ線６ａに供給されて、それぞれｉ行４列、ｉ行１２列、ｉ行２０列、・・・、ｉ行１９８０列の画素電極９ａに印加され、引き続き、ｅ系列（５、１３、２１、・・・、１９８１列目）のデータ線６ａに供給されて、それぞれｉ行５列、ｉ行１３列、ｉ行２１列、・・・、ｉ行１９８１列の画素電極９ａに印加され、引き続き、ｆ系列（６、１４、２２、・・・、１９８２列目）のデータ線６ａに供給されて、それぞれｉ行６列、ｉ行１４列、ｉ行２２列、・・・、ｉ行１９８２列の画素電極９ａに印加され、引き続き、ｇ系列（７、１５、２３、・・・、１９８３列目）のデータ線６ａに供給されて、それぞれｉ行７列、ｉ行１５列、ｉ行２３列、・・・、ｉ行１９８３列の画素電極９ａに印加され、引き続き、ｈ系列（８、１６、２４、・・・、１９８４列目）のデータ線６ａに供給されて、それぞれｉ行８列、ｉ行１６列、ｉ行２４列、・・・、ｉ行１９８４列の画素電極９ａに印加される。
【００５１】
これにより、ｉ行目の画素に対して、階調に応じた画像信号の電圧を書き込む動作が完了する。尚、画素電極９ａに印加された電圧は、走査信号ＧｉがＬレベルになっても、液晶容量によって次の第（ｎ＋１）フレームの書き込みまで保持されることになる。
【００５２】
図５において、本実施形態では特に、制御信号Ｓｅｌ１〜Ｓｅｌ８のパルス幅Ｗｓは、プリチャージタイミング信号ＮＲＧのパルス幅Ｗｐよりも広い。即ち、制御信号Ｓｅｌ１〜Ｓｅｌ８のパルス幅Ｗｓによって規定される単位期間は、プリチャージタイミング信号ＮＲＧのパルス幅Ｗｐによって規定されるプリチャージ期間よりも長い。よって、１水平期間においてデータ線６ａにプリチャージ信号ＰＣＳよりも画像信号ＶＩＤ１〜ＶＩＤ２４８を多く書き込むことができる。従って、表示画像のコントラストの向上やゴーストの発生の低減を図ることができ、表示画像の品質を向上させることができる。
【００５３】
更に、制御信号Ｓｅｌ１〜Ｓｅｌ８のパルス幅Ｗｓによって規定される単位期間が比較的長いので（言い換えれば、データ線６ａに画像信号を供給するためにトランジスタ７１がオン状態とされる期間が長いので）、トランジスタ７１を比較的小さなサイズで形成することが可能である。
【００５４】
ここで、画像信号の相展開数（即ち、シリアル−パラレル変換された画像信号の系統数）をＮとし、１水平期間をＨ［ナノ秒］とし、データ線６ａの本数をＤ［本］とし、プリチャージ期間をＴ［ナノ秒］とするとき、関係式  ６００≦Ｔ＋（Ｈ−Ｔ）×Ｎ／Ｄ  を満たすようにするとよい。例えば、本実施形態の場合、画像信号の相展開数は２４８であり、１水平期間は４０００ナノ秒であり、データ線６ａの本数は１９８４本であるので、上述した関係式に従ってプリチャージ期間（Ｔ）を約１１４ナノ秒以上とし、且つ、単位期間をプリチャージ期間よりも長くするとよい。この場合には、プリチャージ期間を規定するプリチャージタイミング信号ＮＲＧのパルス幅Ｗｐを例えば１２０ナノ秒などの１１４ナノ秒以上の幅とし、画像信号の供給に係る単位期間を規定する制御信号Ｓｅｌ１〜Ｓｅｌ８のパルス幅Ｗｓをプリチャージタイミング信号ＮＲＧのパルス幅Ｗｐよりも広い例えば４８０ナノ秒などのパルス幅とすることで、１水平期間内でプリチャージタイミング信号ＮＲＧ及び制御信号Ｓｅｌ１〜Ｓｅｌ８を制御信号線ＳＬ１〜ＳＬ８に確実に供給することができ且つ画像信号の供給に係る単位期間をプリチャージ期間よりも長くしつつプリチャージ期間と単位期間とを合わせた期間を６００ナノ秒以上とすることができる。よって、各データ線６ａに画像信号を十分に書き込むことができ、より高品質な画像を表示することが可能となる。尚、単位期間（言い換えれば、制御信号Ｓｅｌ１〜Ｓｅｌ８のパルス幅Ｗｓ）は、１水平期間内でプリチャージタイミング信号ＮＲＧ及び制御信号Ｓｅｌ１〜Ｓｅｌ８を制御信号線ＳＬ１〜ＳＬ８に供給することができる範囲内において、できるだけ長いほうが好ましい。
【００５５】
以上説明したように、本実施形態に係る液晶装置によれば、画像信号の供給に係る単位期間がプリチャージ期間よりも長い（即ち、制御信号Ｓｅｌ１〜Ｓｅｌ８のパルス幅Ｗｓがプリチャージタイミング信号ＮＲＧのパルス幅Ｗｐよりも広い）ので、高品質な画像を表示することができる。
＜電子機器＞
次に、上述した電気光学装置である液晶装置を各種の電子機器に適用する場合について説明する。
【００５６】
先ず、この液晶装置をライトバルブとして用いたプロジェクタについて、図６を参照して説明する。ここに図６は、プロジェクタの構成例を示す平面図である。
【００５７】
図６に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００５８】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００５９】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００６０】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００６１】
尚、図６を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００６２】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００６３】
本発明は、上述した実施形態に限られるものではなく、特許請求の範囲及び明細書全体から読み取れる発明の要旨或いは思想に反しない範囲で適宜変更可能であり、そのような変更を伴う電気光学装置、電気光学装置の駆動方法及び該電気光学装置を備えてなる電子機器もまた本発明の技術的範囲に含まれるものである。
【図面の簡単な説明】
【００６４】
【図１】第１実施形態に係る液晶装置の全体構成を示す平面図である。
【図２】図１のＨ−Ｈ´線断面図である。
【図３】第１実施形態に係る液晶装置の電気的な構成を示すブロック図である。
【図４】第１実施形態に係る液晶装置の画素部の等価回路図である。
【図５】１水平期間における制御信号線及び画像信号線の電位の変動を示すタイミングチャートである。
【図６】電気光学装置を適用した電子機器の一例たるプロジェクタの構成を示す平面図である。
【符号の説明】
【００６５】
６ａ…データ線、７…デマルチプレクサ、９ａ…画素電極、１０…素子基板、１０ａ…画像表示領域、１１ａ…走査線、２０…対向基板、７１…トランジスタ、１０４…走査線駆動回路、３００…画像信号線
【図１】
2009198860.tif 000003
【図２】
2009198860.tif 000004
【図３】
2009198860.tif 000005
【図４】
2009198860.tif 000006
【図５】
2009198860.tif 000007
【図６】
2009198860.tif 000008